(57)【要約】【課題】  板状リールシートの音鳴りを抑制する。【解決手段】  元竿３の所定箇所に取付固定用の樹脂テープ２を巻回されて固定される板状リールシート１と元竿３との間に介在されて、板状リールシート１の元竿３への装着部位から発する異音を抑制する音鳴り抑制材４を設ける。【選択図】        図１
2006020530.tif 000002
【特許請求の範囲】
【請求項１】
板状リールシートと釣竿の板状リールシート装着箇所との間に介在されて、板状リールシートの釣竿への装着部位から発する異音を抑制する板状リールシート用の音鳴り抑制材。
【請求項２】
釣竿の板状リールシート装着箇所における少なくとも竿先側端部と竿尻側端部とを含む複数箇所に装着される請求項１記載の板状リールシート用の音鳴り抑制材。
【請求項３】
板状リールシートにおける竿先側端部から竿尻側端部に至る長さを有する板状体に形成されている請求項１記載の板状リールシート用の音鳴り抑制材。
【請求項４】
釣竿の板状リールシート装着箇所に外嵌装着される筒状体に形成され、前記筒状体の一部分が板状リールシートと釣竿の前記板状リールシート装着箇所に介在されている請求項１又は２記載の板リールシート用の音鳴り抑制材。
【請求項５】
和紙で構成してある請求項１〜４のうちのいずれか一つに記載の板リールシート用の音鳴り抑制材。
【請求項６】
請求項１から５のいずれか一つに記載の音鳴り抑制材を板状リールシートと元竿の所定箇所との間に位置させて、前記板状リールシートと元竿とに亘って取付固定用の樹脂テープを巻回することによって、又は、前記板状リールシートの固定部に取付固定用の巻糸を巻回しその巻回した巻糸に塗料等を塗布することによって、前記板状リールシートと音鳴り抑制材とを装着固定してある釣竿。
【発明の詳細な説明】
【技術分野】
【０００１】
本発明は、釣竿の所定箇所に取付固定用の糸等を巻回されて固定される板状リールシートに対する音鳴り抑制材および釣竿に関する。
【背景技術】
【０００２】
この種の板状リールシートを用いたキス釣り等に使用される投竿等においては、仕掛けを投入するなど、釣竿を振り出す際に板状リールシートから異音が発生することがあり、釣り人に不快感を与えていた。
従来、僅かに、リールシートを元竿に対して強固に固定すべく、引き揃え強化繊維に熱硬化性樹脂を含浸させたテープで巻き占める構成を採っているもの（特許文献１）や、リール脚をガタツキなく取り付けるために、可動フード内に弾性材を装着するものがあった（特許文献２）。
【０００３】
【特許文献１】特開昭６３−１６７７２９号公報（公報第２頁右上欄の及び、図２）
【特許文献２】特開平５−３７４０号公報（段落番号〔００１５〕〔００１６〕、図１）
【発明の開示】
【発明が解決しようとする課題】
【０００４】
しかし、上記した特許文献に開示された発明は、いずれも、板状リールシートが発する異音を抑制するものでなく、他の目的のためのものであり、この異音の発生を阻止する技術は存在しなかった。
【０００５】
本発明の目的は、効果的に板状リールシートからの異音の発生を抑制できる釣竿構造を提供する点にある。
【課題を解決するための手段】
【０００６】
〔構成〕
請求項１に係る発明の特徴構成は、板状リールシートと釣竿の板状リールシート装着箇所との間に介在されて、板状リールシートの釣竿への装着部位から発する異音を抑制する板状リールシート用の音鳴り抑制材を提案する点にあり、その作用効果は次の通りである。
【０００７】
〔作用効果〕
異音の発生場所が板状リールシートの釣竿への取付面と釣竿の板状リールシート装着箇所の表面との僅かなスベリ現象に関係していることを突き止めることによって、例え、そのようなスベリ現象が生じても、その板状リールシートと釣竿の板状リールシート装着箇所との間に音鳴り抑制材を介在させる構成を採用して、これによって、異音の発生を抑制できた。
【０００８】
請求項２に係る発明の特徴構成は、請求項１に係る発明において、音鳴り抑制材が釣竿の板状リールシート装着箇所における少なくとも竿先側端部と竿尻側端部とを含む複数箇所に装着される点にあり、その作用効果は次の通りである。
【０００９】
〔作用効果〕
つまり、音鳴り抑制材を複数の部材に分割して複数箇所に配置することによって、釣竿の板状リールシート装着箇所の全長に亘って設けることなく、少ない量の音鳴り抑制材で消音効果が期待できる。
【００１０】
請求項３に係る発明の特徴構成は、請求項１に係る発明において、音鳴り抑制材が、釣竿の所定箇所に固着されるもので、板状リールシートにおける竿先側端部から竿尻側端部に至る長さを有する板状体に形成されている点にあり、その作用効果は次の通りである。
【００１１】
〔作用効果〕
つまり、板状リールシートの全長に亘って音鳴り抑制材が設けてあるので、板状リールシートの発音源を正確に特定できなくとも、消音効果を得ることができる。
【００１２】
請求項４に係る発明の特徴構成は、請求項１又は２記載の発明において、釣竿の板状リールシート装着箇所に外嵌装着される筒状体に形成され、前記筒状体の一部分が板状リールシートと釣竿の前記板状リールシート装着箇所に介在されている点にあり、その作用効果は次の通りである。
【００１３】
〔作用効果〕
音鳴り抑制材が筒状体であるので釣竿の所定箇所への取付状態が安定するとともに、単なる板状体のものに比べて消音効果に影響する音鳴り抑制材としての体積及び質量を大きくでき、消音効果を有効なものにできる。
【００１４】
請求項５に係る発明の特徴構成は、請求項１〜４に係る発明において、音鳴り抑制材が和紙で構成してある点にあり、その作用効果は次の通りである。
【００１５】
〔作用効果〕
本出願人らにおいては、種々の材質のものを試験した結果、和紙を利用したものが最も高い消音効果を示すことを掴んだ。
【００１６】
請求項６に係る発明の特徴構成は、釣竿に、請求項１から５のいずれか一つに記載の音鳴り抑制材を板状リールシートと元竿の所定箇所との間に位置させて、前記板状リールシートと元竿とに亘って取付固定用の樹脂テープを巻回することによって、又は、前記板状リールシートの固定部に取付固定用の巻糸を巻回しその巻回した巻糸に塗料等を塗布することによって、前記板状リールシートと音鳴り抑制材とを装着固定してある点にあり、その作用効果は次の通りである。
【００１７】
〔作用効果〕
このように、板状リールシートに音鳴り抑制材を施した釣竿は、仕掛けを投入する際に振り操作をされても、異音を発生しない、使い易いものになった。特に、音鳴り抑制材を施すだけでなく、板状リールシート自体の釣竿への取付に対して、従来から使用されている巻糸に代えて樹脂テープを利用することによって、その樹脂テープが板状リールシートを釣竿の取付位置に対して密接する状態で取り付けることができるので、音鳴りの抑止効果が高い。
また、前記巻糸を使用する場合には、板状リールシートの固定部と釣竿とに亘って巻回した状態で、その巻回した巻糸に塗料等を塗布して強固に固定することにしてあるので、巻糸のみで取付固定する場合に比べて、音鳴りの抑止効果が高い。
【発明を実施するための最良の形態】
【００１８】
投釣用等の竿に使用される板状リールシート１の元竿３への取付構造について説明する。元竿３の所定位置に取付固定用の樹脂テープ２で固定される板状リールシート１について説明する。図１に示すように、板リールシート１は、全体が金属で構成されており、竿先側にリール脚５を挿入保持する固定フード１Ａと竿尻側にリール脚５を挿入保持解除自在な可動フード１Ｂとを備え、両フード１Ａ、１Ｂとを取り付けている細長板状のベースフレーム１Ｃとで構成してある。細い幅の樹脂テープ２をそのベースフレーム１Ｃにおける両フード１Ａ、１Ｂから突出する竿先端部１ａ、竿尻端部１ｂ、及び、両フード１Ａ、１Ｂとの間に位置する中間部１ｃと、元竿３の所定箇所とに亘って複数回に巻回して、板状リールシート１を取付固定する。
樹脂テープ２としては、クレープ紙を基板として合成ゴム系の粘着剤を塗布した細幅形状のものである。
【００１９】
板状リールシート１の音鳴り抑制材４について説明する。図１に示すように、音鳴り抑制材４は、テープ２で巻きつけ固定される前の板状リールシート１と元竿３の所定箇所との間に挟まれて位置するように、元竿３の所定位置に接着固定され、板状リールシート１を受止め、板状リールシート１が異音を発することを抑制する機能を発揮する。音鳴り抑制材４の材料は主に和紙を使用する。ここに使用される和紙としては、手漉きによる半紙、美濃紙や機械漉きによる京花紙等である。
和紙以外に消音効果を発揮するものは、エポキシ材をテープ状にしたものを元竿３に貼り付けるものであってもよい。
【００２０】
音鳴り抑制材４の具体的形状としては、次のようなものである。図１に示すように、音鳴り抑制材４は、板状リールシート１のベールフレーム１Ｃの形状に相似するように、竿先側から竿尻側へ掛けて直線形状に延びる細長い板状のものに形成されている。この形状の場合には、ベースフレーム１Ｃと音鳴り抑制材４が重なる状態に配置され、ベースフレーム１Ｃより突出することが少ないので、音鳴り抑制材４の存在が目立ちにくく、テープ２等で巻き付け固定する際にも、巻き付け易い。
【００２１】
和紙で構成する音鳴り抑制材４としては、厚みが０．１〜０．５ｍｍ位で、望ましくは０．３ｍｍがよく、二枚重ねで使用することが望ましい。音鳴り抑制材４の接着位置としては、前記したように元竿３の所定位置が効果的であり、例えば、リールシート１に音鳴り抑制材４を取り付けた後に、その音鳴り抑制材４を取り付けたリールシート１を元竿３に取り付ける場合には、良い消音効果は得られなかった。
【００２２】
図１に示すように、上記した直線形状の両端部に大径部４Ａ、４Ａを形成し、ベースフレーム１Ｃの竿先側端部１ａ、竿尻側端部１ｂとをその大径部４Ａ、４Ａで受け止めるべく構成してもよい。
【００２３】
別の形態としては、図３に示す音鳴り抑制材４において、べースフレーム１Ｃの竿先側端部１ａ、竿尻側端部１ｂだけを受け止めるように、中間に位置する音鳴り抑制材４を省略し、前後二つの消音部材４Ｂ、４Ｂで構成してもよい。消音部材４Ｂ、４Ｂとしては、ベースフレーム１Ｃの竿先側端部１ａを受ける細幅部４ａと固定フード１Ａを受ける広幅部４ｂとを一体で形成するものとしてもよい。
【００２４】
別の形態としては、図３に示すように、ベースフレーム１Ｃの竿先側端部１ａ、竿尻側端部１ｂのみならず中間部１ｃを受け止める消音部材４Ｂを設けてよい。
別の形態としては、消音部材４Ｂとして、図４に示すように、上下貫通する抜き孔４ｃを形成して、消音部材４Ｂの弾性変形性を大きくするように構成してもよい。
【００２５】
音鳴り抑制材４として和紙で構成するものを示したが、表面に皺を形成してあるクレープ紙を基板としてその表面に和紙を塗布したものを音鳴り抑制材４として使用してもよい。
【００２６】
以上、説明してきた消音部材４Ｂはいずれも板厚が一定の板状部材に形成されたものであるが、図２に示すように、両フード１Ａ、１Ｂを受け止める部分４ｄ、４ｄの板厚を厚くしたものでもよい。つまり、リール脚５を支持する両フード１Ａ、１Ｂの下方に位置する部分の板厚を厚くするものである。
【００２７】
別の形態としては、図５に示すように、消音部材４Ｂを、元竿３の所定箇所に外嵌装着される筒状体で形成してもよい。筒状体としては、ベースフレーム１Ｃの竿先側端部１ａ、竿尻側端部１ｂのみならず中間部１ｃを受け止めるように、３箇所に配置するものでもよいが、その竿先側端部１ａから竿尻側端部１ｂまでの長さを有する単一のものであってもよい。
【００２８】
板状リールシート１を元竿３の所定箇所に取り付けるに、巻糸２で巻き付け固定するものを採用しても良い。つまり、板状リールシート１を接着剤等で固定し、その固定した板状リールシート１の固定部としてのベースフレーム１Ｃに巻糸２を巻き付け（所定のテンション力を掛ける）、その巻付けた糸２に対してクリア塗料等を数回塗布して固め、その固めたものの表面を平滑化処理し、更に、その上からウレタン塗料等の所望の色で塗装して固める。
また、板リールシート１を取付る取付具としては、糸を巻き付けた後、その糸の上から前記した樹脂テープ２を巻き付ける構成を採っても良い。
【図面の簡単な説明】
【００２９】
【図１】板状リールシートと元竿との間に音鳴り抑制材を挟んで、その板状リールシートを元竿に取り付けた状態を示し、（イ）    分解斜視図、（ロ）    組み付け状態を示す斜視図
【図２】板厚が部分的に異なる音鳴り抑制材を示す斜視図
【図３】分割タイプの音鳴り抑制材を示す斜視図
【図４】図３に示す音鳴り抑制材の別実施形態を示す斜視図
【図５】筒状の音鳴り抑制材を示す斜視図
【符号の説明】
【００３０】
１            板状リールシート
１ａ          竿先側端部
１ｂ          竿尻側端部
２            取付固定用の樹脂テープ（巻糸）
３            釣竿
４            音鳴り抑制材
【図１】
2006020530.tif 000003
【図２】
2006020530.tif 000004
【図３】
2006020530.tif 000005
【図４】
2006020530.tif 000006
【図５】
2006020530.tif 000007